(57)【要約】【課題】印刷配線基板のための遮蔽体を提供すること。【解決手段】印刷配線基板のための遮蔽体であって、変形可能な本体であって、加えられた圧力下で変形し、加えられた圧力下にある間にバネのバイアスを維持し、加えられた圧力が除去されたときに、本体の元の位置に戻るように変形するように構成された変形可能な本体と、本体から延びている２つ以上の搭載レグであって、本体を印刷配線基板に着脱可能なように搭載する２つ以上の搭載レグとを含む、遮蔽体。【選択図】図１
2010028102.tif 000002
【特許請求の範囲】
【請求項１】
印刷配線基板のための遮蔽体であって、
変形可能な本体であって、加えられた圧力下で変形し、該加えられた圧力下にある間にバネのバイアスを維持し、該加えられた圧力が除去されたときに、該本体の元の位置に戻るように変形するように構成された変形可能な本体と、
該本体から延びている２つ以上の搭載レグであって、該本体を印刷配線基板に着脱可能なように搭載する２つ以上の搭載レグと
を含む、遮蔽体。
【請求項２】
前記本体は、弾性のある導電性材料から形成される、請求項１に記載の遮蔽体。
【請求項３】
前記弾性のある導電性材料は、金属である、請求項２に記載の遮蔽体。
【請求項４】
前記２つ以上の搭載レグは、該２つ以上の搭載レグ上に形成された係止部を含む、請求項１に記載の遮蔽体。
【請求項５】
前記係止部は、前記２つ以上の搭載レグに形成された湾曲領域を含む、請求項４に記載の遮蔽体。
【請求項６】
前記本体は、側部が開いた箱の形状を有する、請求項１に記載の遮蔽体。
【請求項７】
前記本体は、前壁、後壁、上壁、第１の側壁および第２の側壁を含む、請求項７に記載の遮蔽体。
【請求項８】
前記本体は、前記前壁および後壁に形成された通路をさらに含む、請求項７に記載の遮蔽体。
【請求項９】
ハウジングと、
印刷配線基板（ＰＷＢ）であって、該ハウジング内に配置され、該ＰＷＢに結合された１つ以上の電気的コンポーネントを含む、ＰＷＢと、
該ＰＷＢに着脱可能なように結合された遮蔽体であって、該遮蔽体は、変形可能な本体を含み、該変形可能な本体は、加えられた圧力下で変形し、該加えられた圧力が除去されたときに、該本体の元の位置に戻るように構成されている、遮蔽体と
を含む、電子デバイス。
【請求項１０】
前記ＰＷＢは、２つ以上の搭載穴を含み、前記遮蔽体は、前記本体から延びている２つ以上の搭載レグを含み、該２つ以上の搭載レグは、該２つ以上の搭載穴に挿入することにより、該本体を該ＰＷＢに着脱可能なように結合することが可能である、請求項９に記載の電子デバイス。
【請求項１１】
前記本体は、弾性のある導電性材料から形成される、請求項９に電子デバイス。
【請求項１２】
前記弾性のある導電性材料は、金属である、請求項１１に記載の電子デバイス。
【請求項１３】
前記２つ以上の搭載レグは、該２つ以上の搭載レグ上に形成された係止部を含む、請求項１０に記載の電子デバイス。
【請求項１４】
前記係止部は、前記２つ以上の搭載レグに形成された湾曲領域を含む、請求項１３に記載の電子デバイス。
【請求項１５】
前記係止部は、前記穴を越えて位置付けられ、前記ＰＷＢに当接する、請求項１３に記載の電子デバイス。
【請求項１６】
前記本体は、側部が開いた箱の形状を有する、請求項９に記載の電子デバイス。
【請求項１７】
前記本体は、前壁、後壁、上壁、第１の側壁および第２の側壁を含む、請求項１６に記載の電子デバイス。
【請求項１８】
前記本体は、前記前壁および後壁に形成された通路をさらに含む、請求項１７に記載の電子デバイス。
【発明の詳細な説明】
【技術分野】
【０００１】
（分野）
本発明は、概して、印刷配線基板のための遮蔽体に関し、より詳細には、印刷配線基板に対して着脱可能なように固定することが容易な遮蔽体に関する。
【背景技術】
【０００２】
（発明の背景）
印刷配線基板（ＰＷＢ）は、テレビを含む世界中のほぼ全ての電子機器に対する基礎である。ＰＷＢは、例えばプロセッサ、マイクロチップ、キャパシタ等の電子コンポーネントが搭載されるプラットフォームであり、これらのコンポーネントは、ＰＷＢを介して、電気的に相互接続される。典型的にＰＷＢは、非導電性の基板（例えば、繊維ガラスとエポキシ樹脂）から構成され、導電性のパターンまたは回路（例えば、銅、ニッケル、銀、スズ、スズ鉛、金等の導電体による）がその上に形成される。ＰＷＢは、電子コンポーネントが搭載されたときに、玩具からトースターや電気通信機器までの、全てのより大きな電子システムに対する礎石をなす。
【０００３】
しばしば遮蔽体（典型的には、箱型で導電性材料から形成される）が、電子コンポーネンまたはＰＷＢ上の回路の上に配置され、遮蔽体の外部から発生する電磁放射からコンポーネントまたは回路を保護したり、あるいは、遮蔽体の内部から発生する電磁エネルギーから隣接する回路またはコンポーネントを保護したりする。電子回路が小型化され、かつ、電子回路が互いに極めて密にパッケージングされてきたことに伴い、完成状態のアセンブリにおける電気的絶縁のために、より多くの遮蔽体が必要とされるようになった。
【０００４】
遮蔽体は、半田またはその他の手段によって、ＰＷＢに固定的に搭載されたり、または取り付けられたりし得るが、好適には遮蔽体は、ＰＷＢの表面に対して着脱可能なように搭載される。着脱可能性は、試験および修理のためのアクセスを提供するために、望ましい。遮蔽体が着脱可能ではないと、遮蔽体の下の回路は、一旦遮蔽体が所定の位置に配置された後に、試験または修理のためにアクセス可能ではなくなる。着脱可能な遮蔽体があると、回路は試験または修理され得る。修理の後、遮蔽体は、アセンブリの適切な動作のために再配置され得る。
【発明の概要】
【発明が解決しようとする課題】
【０００５】
しかしながら、しばしば遮蔽体は、ＰＷＢ上への搭載の後、さらなる組み立ておよび／または処理の間に、ＰＷＢ上でのそれらの搭載場所から、強制移動させられる。したがって、ＰＷＢ上に搭載されるときに所定の位置に確実に固定される、着脱可能な遮蔽体を提供することが望ましくあり得る。
【課題を解決するための手段】
【０００６】
（概要）
本明細書中に記載されている実施形態は、印刷配線基板（ＰＷＢ)上に遮蔽体を着脱可能なように固定するシステムおよび方法を提供することに関する。好適には遮蔽体は、圧力下で屈曲または変形可能であり、解放されたときに元の形状へとバネで戻るような弾性のある本体を含む。遮蔽体はさらに、着脱可能な取り付け機構を含み、この着脱可能な取り付け機構は、本体が解放されたとき、または、圧力下になくなったときに、ＰＷＢに係合する。
【０００７】
好適には本体は、前壁、後壁、上壁ならびに第１および第２の側壁を有する、端部が開いた箱の形状を有する。前壁および後壁には、通路またはカットアウトが形成される。好適には本体は、導電性材料から形成される。
【０００８】
遮蔽体をＰＷＢに着脱可能なように搭載または結合するために、着脱可能な取り付け機構は、第１の側壁から延びる第１および第２の搭載レグと、第２の側壁から延びる第３および第４の搭載レグとを含む。好適には本体は、圧迫されたとき、すなわち対向する側壁において圧力が内側に加えられたときに、バネのような性質を有するように変形可能な弾性を有している。一旦側壁が解放されたとき、すなわち、圧力が対向する側壁においてもはや加えられなくなったときに、側壁は、それらの元の位置すなわち解放位置にバネで戻る。
【０００９】
設置者は作業中、遮蔽体の側壁を内側に向けて僅かに圧迫するが、これは、遮蔽体のレグをＰＷＢに形成された搭載穴の中に挿入するのに十分な程度である。レグを搭載穴の中に挿入した後、設置者は、遮蔽体の側部を解放し、その結果、搭載レグの圧力が搭載穴の側面に加えられ、処理、組み立て等の間に、遮蔽体がＰＷＢから不意に強制移動されることを防ぐことが可能になる。
【００１０】
本発明のその他のシステム、方法および特徴は、添付の図面および詳細な説明を検討すれば、当業者には明らかであろう。
【００１１】
本発明は、さらに以下の手段を提供する。
（項目１）  
印刷配線基板のための遮蔽体であって、
変形可能な本体であって、加えられた圧力下で変形し、該加えられた圧力下にある間にバネのバイアスを維持し、該加えられた圧力が除去されたときに、該本体の元の位置に戻るように変形するように構成された変形可能な本体と、
該本体から延びている２つ以上の搭載レグであって、該本体を印刷配線基板に着脱可能なように搭載する２つ以上の搭載レグと
を含む、遮蔽体。
（項目２）  
上記本体は、弾性のある導電性材料から形成される、上記項目のいずれか一項に記載の遮蔽体。
（項目３）  
上記弾性のある導電性材料は、金属である、上記項目のいずれか一項に記載の遮蔽体。
（項目４）  
上記２つ以上の搭載レグは、該２つ以上の搭載レグ上に形成された係止部を含む、上記項目のいずれか一項に記載の遮蔽体。
（項目５）  
上記係止部は、上記２つ以上の搭載レグに形成された湾曲領域を含む、上記項目のいずれか一項に記載の遮蔽体。
（項目６）  
上記本体は、側部が開いた箱の形状を有する、上記項目のいずれか一項に記載の遮蔽体。
（項目７）  
上記本体は、前壁、後壁、上壁、第１の側壁および第２の側壁を含む、上記項目のいずれか一項に記載の遮蔽体。
（項目８）  
上記本体は、上記前壁および後壁に形成された通路をさらに含む、上記項目のいずれか一項に記載の遮蔽体。
（項目９）  
ハウジングと、
印刷配線基板（ＰＷＢ）であって、該ハウジング内に配置され、該ＰＷＢに結合された１つ以上の電気的コンポーネントを含む、ＰＷＢと、
該ＰＷＢに着脱可能なように結合された遮蔽体であって、該遮蔽体は、変形可能な本体を含み、該変形可能な本体は、加えられた圧力下で変形し、該加えられた圧力が除去されたときに、該本体の元の位置に戻るように構成されている、遮蔽体と
を含む、電子デバイス。
（項目１０）  
上記ＰＷＢは、２つ以上の搭載穴を含み、上記遮蔽体は、上記本体から延びている２つ以上の搭載レグを含み、該２つ以上の搭載レグは、該２つ以上の搭載穴に挿入することにより、該本体を該ＰＷＢに着脱可能なように結合することが可能である、上記項目のいずれか一項に記載の電子デバイス。
（項目１１）  
上記本体は、弾性のある導電性材料から形成される、上記項目のいずれか一項に電子デバイス。
（項目１２）  
上記弾性のある導電性材料は、金属である、上記項目のいずれか一項に記載の電子デバイス。
（項目１３）  
上記２つ以上の搭載レグは、該２つ以上の搭載レグ上に形成された係止部を含む、上記項目のいずれか一項に記載の電子デバイス。
（項目１４）  
上記係止部は、上記２つ以上の搭載レグに形成された湾曲領域を含む、上記項目のいずれか一項に記載の電子デバイス。
（項目１５）  
上記係止部は、上記穴を越えて位置付けられ、上記ＰＷＢに当接する、上記項目のいずれか一項に記載の電子デバイス。
（項目１６）
上記本体は、側部が開いた箱の形状を有する、上記項目のいずれか一項に記載の電子デバイス。
（項目１７）
上記本体は、前壁、後壁、上壁、第１の側壁および第２の側壁を含む、上記項目のいずれか一項に記載の電子デバイス。
（項目１８）  
上記本体は、上記前壁および後壁に形成された通路をさらに含む、上記項目のいずれか一項に記載の電子デバイス。
【００１２】
（摘要）
印刷配線基板（ＰＷＢ）に対して着脱可能なように固定可能なバネ保持式遮蔽体。好適にはこの遮蔽体は、圧力下で屈曲し、かつ、解放されたときに元の形状へとバネで戻るような弾性（ｃｏｍｐｌｉａｎｔ）のある本体を含む。遮蔽体はさらに、着脱可能な取り付け機構を含み、この着脱可能な取り付け機構は、本体が解放されたとき、または、圧力下になくなったときに、ＰＷＢに係合する。好適には本体は、前壁、後壁、上壁ならびに第１および第２の側壁を有する、端部が開いた箱の形状を有する。前壁および後壁には、通路またはカットアウトが形成される。好適には本体は、導電性材料から形成される。遮蔽体をＰＷＢに着脱可能なように搭載または結合するために、着脱可能な取り付け機構は、第１の側壁から延びる第１および第２の搭載レグと、第２の側壁から延びる第３および第４の搭載レグとを含む。
【図面の簡単な説明】
【００１３】
【図１】図１は、バネ保持式遮蔽体の斜視図を図示する。
【図２】図２は、バネ保持式遮蔽体および印刷配線基板の分解されたアセンブリの斜視図を図示する。
【図３】図３は、図２における線３−３に沿って切り取られた断面図を図示する。
【発明を実施するための形態】
【００１４】
製造、構造および動作を含む、本発明の詳細は、添付の図面を考察することによって、その一部が探り出されるだろう。添付の図面中、同様の参照番号は、同様のパーツを示す。複数の図面中のコンポーネントは、必ずしも一定の比率ではなく、その代わりに強調されることにより、本発明の原理を図示する。さらに、全ての図面は、概念を伝えることが意図されており、相対的なサイズ、形状およびその他の詳細な属性は、事実通り（ｌｉｔｅｒａｌｌｙ）または正確（ｐｒｅｃｉｓｅｌｙ）である代わりに、概略的に示されている。
【００１５】
本明細書中に記載されているシステムおよび方法は、印刷配線基板（ＰＷＢ）上への遮蔽体の着脱可能な固定を提供する。詳細には、図面に移ると、図１は、バネ保持式遮蔽体１０を図示しており、このバネ保持式遮蔽体は、前壁１４、後壁１６、上壁１８ならびに第１の側壁２０および第２の側壁２２を有する、端部が開いた箱型の本体１２を含む。通路またはカットアウト２４が、前壁１４および後壁１６に形成される。好適には本体１２は、導電性材料から形成される。
【００１６】
ＰＷＢに対して遮蔽体１０を着脱可能なように搭載または結合するために、遮蔽体１０は、着脱可能な取り付け機構３０を含み、該着脱可能な取り付け機構３０は、第１の側壁２０から延びている第１のレグ３２および第２のレグ３４を含む。取り付け機構３０は、第２の側壁２２から延びているものとして示されている第３のレグ３６と、第２の側壁２２から延びている第４のレグ（図示されず）とを含む。好適には本体１２は、圧迫されたとき、すなわち対向する側壁２０および２２において圧力が内側に加えられたときに、側壁２０および２２が互いに向けて動くことに伴って、本体１２の上壁１８を中心軸のまわりで屈曲させるバネのような性質を有するように、弾性を有している。一旦側壁２０および２２が解放されたとき、すなわち、圧力が対向する側壁２０および２２においてもはや内側に加えられなくなったときに、側壁２０および２２は、それらの元の位置すなわち解放位置にバネで戻る。
【００１７】
代替的に、側壁２０および２２は、圧迫されたとき、すなわち内側に向けて圧力が加えられたときに、動くことが可能である。ここでもまた、一旦解放されると、側壁２０および２２は、それらの元の位置または解放位置にバネで戻る。
【００１８】
図２および図３に移ると、ＰＷＢ４０が示されており、ＰＷＢ４０は、４つの搭載穴４２、４４、４６および４８を含んでおり、これらの４つの搭載穴は、取り付け機構３０のレグ３２、３４および３６を受容および固定するように、サイズが決められ、離間されている。図３に示されているように、レグ３４および３６は、湾曲領域（ｂｏｗｅｄ  ｒｅｇｉｏｎ）３５および３７を含む。湾曲領域３５、３７は、側壁２０および２２に対して外側に湾曲している。その結果、一旦湾曲領域３５、３７が搭載穴４４および４８に受容され、かつ、側壁２０および２２が解放されてもはや圧力下になくなると、レグ３４および３６は、搭載穴４４および４８の側壁を圧迫する。その一方で、レグ３４および３６の湾曲領域３５および３７は、搭載穴４４および４８を越えた位置に配置され、ＰＷＢ４０に当接する係止部として機能することにより、遮蔽体１０をＰＷＢ４０上に保持し、遮蔽体が強制移動されることを防ぐ。
【００１９】
設置者は作業中、遮蔽体１０の側壁２０および２２を内側に向けて僅かに圧迫するが、これは、遮蔽体のレグ３２、３４および３６（および図示されていない第４のレグ）をＰＷＢ４０内に形成された搭載穴４２、４４、４６および４８の中に挿入し、それらの穴を通して延在させ、湾曲領域３５、３７が穴４２、４４、４６および４８を越えた位置に配置されるようにするのに十分な程度である。設置者は、レグ３２、３４および３６を搭載穴４２、４４、４６および４８に挿入した後、遮蔽体１０の側壁２０および２２を解放する。その結果、搭載レグ３２、３４および３６の圧力が搭載穴４２、４４、４６および４８の側面に加えられ、その一方で、湾曲領域３５、３７がＰＷＢ４０に当接することにより、処理、組み立て等の間に、遮蔽体がＰＷＢ４０から不意に強制移動されることを防ぐことが可能になる。
【００２０】
本発明は、上述の明細書中では、その特定の実施形態を参照して記載されてきた。しかしながら、それらに対する様々な改変および変更が、本発明の広い精神および範囲から逸脱することなく、なされ得ることは、明らかであろう。例えば、読者は、本明細書中に記載されたプロセス流れ図に示されているプロセス動作の特定の順序および組み合わせは、特に断らない限り、単に例示的なものに過ぎず、本発明は、異なるプロセス動作または追加的なプロセス動作を用いて実行され得ること、あるいは、プロセス動作の異なる組み合わせまたは順序を用いて実行され得ることを理解できるであろう。別の例として、一実施形態の各特徴は、混合されたり、その他の実施形態に示されているその他の特徴に適合されたりし得る。当業者に公知である特徴およびプロセスも同様に、必要に応じて組み込まれ得る。さらに、そして明らかなこととして、特徴は、必要に応じて追加または削除され得る。したがって、本発明は、添付の特許請求の範囲とその等価物とを考慮すること以外によって限定されるべきではない。
【符号の説明】
【００２１】
１０  バネ保持式遮蔽体
１２  本体
１４  前壁
１６  後壁
１８  上壁
２０  第１の側壁
２２  第２の側壁
２４  通路、カットアウト
３０  取り付け機構
３２  第１のレグ
３４  第２のレグ
３６  第３のレグ
【図１】
2010028102.tif 000003
【図２】
2010028102.tif 000004
【図３】
2010028102.tif 000005